(57)【要約】【課題】  携帯電話を取り出して確認しなくても、未読メール数或いは未確認の不在着信数を容易に把握することのできる携帯電話システムならびに腕装着型端末を提供する。【解決手段】  携帯電話に、着信があった場合に、未読メール数或いは未確認の不在着信件数の情報を送信する第１の送信制御手段と、当該携帯電話にて未読メール或いは未確認の不在着信情報の表示動作が行われた際に、この表示動作後の未読メール数或いは未確認の不在着信件数の情報を送信する第２の送信制御手段とを備える。また、腕装着型端末（４０）には、前記第１の送信制御手段および前記第２の送信制御手段により送信された前記未読メール数或いは未確認の不在着信件数の情報を受信して、受信した未読メール数或いは未確認の不在着信件数の情報を表示する表示手段（４６３，４６４）を備える。【選択図】        図３
2011049801.tif 000002
【特許請求の範囲】
【請求項１】
無線により通話が可能な携帯電話と、ユーザの腕に装着される腕装着型端末とからなり、前記携帯電話に着信があった場合に短距離無線通信により前記携帯電話から前記腕装着型端末へ着信情報を送信し、この着信情報に基づき前記腕装着型端末で着信に関する動作を行うように構成された携帯電話システムにおいて、
前記携帯電話には、
着信があった場合に、未読メール数或いは未確認の不在着信件数の情報を送信する第１の送信制御手段と、
当該携帯電話にて未読メール或いは未確認の不在着信情報の表示動作が行われた際に、この表示動作後の未読メール数或いは未確認の不在着信件数の情報を送信する第２の送信制御手段と、
が設けられ、
前記腕装着型端末には、
前記第１の送信制御手段および前記第２の送信制御手段により送信された前記未読メール数或いは未確認の不在着信件数の情報を受信する受信手段と、
前記受信手段により受信された未読メール数或いは未確認の不在着信件数の情報を表示する表示手段と、
を備えたことを特徴とする携帯電話システム。
【請求項２】
前記表示手段は、
未読メール数或いは未確認の不在着信件数を、複数のセグメントを連ねた状態に点灯又は消灯することで数量の大小をグラフ状に表わすグラフ表示部を有し、
前記第１の送信制御手段および前記第２の送信制御手段によりゼロでない未読メール数或いは未確認の不在着信件数の情報を受信した場合に、少なくとも所定期間、前記グラフ表示部の数量を表わす一連のセグメントのうち先頭のセグメントを点滅させることを特徴とする請求項１記載の携帯電話システム。
【請求項３】
前記第２の送信制御手段は、
前記携帯電話にて未読メール或いは未確認の不在着信情報の表示動作が行われた後、この表示動作を終了する操作が行われたことに基づき、前記表示動作の後の未読メール数或いは未確認の不在着信件数の情報を送信することを特徴とする請求項１記載の携帯電話システム。
【請求項４】
前記携帯電話には、
操作キーを外側に露出した状態から内側に隠した状態に開閉する開閉機構およびこの開閉を検知する開閉検出手段が設けられ、
前記第２の送信制御手段は、
前記携帯電話にて未読メール或いは未確認の不在着信情報の表示動作が行われた後、前記開閉検出手段により開閉機構が閉じられたことが検知されたことに基づき、前記表示動作の後の未読メール数或いは未確認の不在着信件数の情報を送信することを特徴とする請求項１記載の携帯電話システム。
【請求項５】
前記第２の送信制御手段は、
前記携帯電話にて未読メール或いは未確認の不在着信情報の表示動作が行われた後、所定時間の操作入力が行われなかったことに基づき、前記表示動作の後の未読メール数或いは未確認の不在着信件数の情報を送信することを特徴とする請求項１記載の携帯電話システム。
【請求項６】
携帯電話と短距離無線通信により情報の送受信を行う通信手段と、
この通信手段を介して前記携帯電話から未読メール数或いは未確認の不在着信件数の情報を受信する受信手段と、
該受信手段により未読メール数或いは未確認の不在着信件数の情報が受信された場合に当該未読メール数或いは未確認の不在着信件数の情報を記憶する記憶制御手段と、
該記憶制御手段により記憶された未読メール数或いは未確認の不在着信件数の情報を表示する表示手段と、
を備えていることを特徴とする腕装着型端末。
【請求項７】
前記表示手段は、
未読メール数或いは未確認の不在着信件数を、複数のセグメントを連ねた状態に点灯又は消灯することで数量の大小をグラフ状に表わすグラフ表示部を有し、
前記第１の送信制御手段および前記第２の送信制御手段によりゼロでない未読メール数或いは未確認の不在着信件数の情報を受信した場合に、少なくとも所定期間、前記グラフ表示部の数量を表わす一連のセグメントのうち先頭のセグメントを点滅させることを特徴とする請求項６記載の腕装着型端末。
【請求項８】
前記表示手段により未読メール数或いは未確認の不在着信件数の情報が常に表示される動作モードを有していることを特徴とする請求項６記載の腕装着型端末。
【発明の詳細な説明】
【技術分野】
【０００１】
この発明は、携帯電話と腕装着型端末とからなる携帯電話システム、ならびに、腕装着型端末に関する。
【背景技術】
【０００２】
一般的な携帯電話では、メール着信や音声着信があると音、振動、発光等により着信が報知されるとともに、発信者の情報などが画面に表示される。また、メイン画面が閉じられた状態でもサブ画面の表示によって着信件数や発信者などの情報をユーザが確認できるものもある。
【０００３】
また、従来、携帯電話と腕装着型のデータ処理端末とを組み合わせて、携帯電話に着信があった場合に携帯電話からデータ処理端末に発信者の番号や氏名などの情報を送信して、データ処理端末でこれらの情報を表示出力するようにしたシステムが提案されている（例えば特許文献１）。
【先行技術文献】
【特許文献】
【０００４】
【特許文献１】特開平１１−１１２６１７号公報
【発明の概要】
【発明が解決しようとする課題】
【０００５】
一般的な携帯電話では、例えば携帯電話をカバンの中に入れておいたり、振動が伝わり難い服のポケットに入れておいたりすると、着信があってもユーザがその報知に気付かず、長い期間着信があったことを認識できないままになるということがある。また、携帯電話の着信時に携帯電話からデータ処理端末へ情報を伝送して報知を行う上記従来のシステムにおいても、忙しいときに着信があってその情報を見逃した場合に、その後の長い期間、着信のことを忘れてしまう場合があるという課題がある。
【０００６】
また、ユーザの中には、音声着信やメール着信が頻繁にあって、或る程度の着信が溜まってから着信情報を確認したいという要望を有するものもいる。
【０００７】
この発明の目的は、携帯電話を取り出して確認しなくても、未読メール数或いは未確認の不在着信数を容易に把握することのできる携帯電話システムならびに腕装着型端末を提供することにある。
【課題を解決するための手段】
【０００８】
上記目的を達成するため、請求項１記載の発明は、
無線により通話が可能な携帯電話と、ユーザの腕に装着される腕装着型端末とからなり、前記携帯電話に着信があった場合に短距離無線通信により前記携帯電話から前記腕装着型端末へ着信情報を送信し、この着信情報に基づき前記腕装着型端末で着信に関する動作を行うように構成された携帯電話システムにおいて、
前記携帯電話には、
着信があった場合に、未読メール数或いは未確認の不在着信件数の情報を送信する第１の送信制御手段と、
当該携帯電話にて未読メール或いは未確認の不在着信情報の表示動作が行われた際に、この表示動作後の未読メール数或いは未確認の不在着信件数の情報を送信する第２の送信制御手段と、
が設けられ、
前記腕装着型端末には、
前記第１の送信制御手段および前記第２の送信制御手段により送信された前記未読メール数或いは未確認の不在着信件数の情報を受信する受信手段と、
前記受信手段により受信された未読メール数或いは未確認の不在着信件数の情報を表示する表示手段と、
を備えたことを特徴とする。
【０００９】
請求項２記載の発明は、請求項１記載の携帯電話システムにおいて、
前記表示手段は、
未読メール数或いは未確認の不在着信件数を、複数のセグメントを連ねた状態に点灯又は消灯することで数量の大小をグラフ状に表わすグラフ表示部を有し、
前記第１の送信制御手段および前記第２の送信制御手段によりゼロでない未読メール数或いは未確認の不在着信件数の情報を受信した場合に、少なくとも所定期間、前記グラフ表示部の数量を表わす一連のセグメントのうち先頭のセグメントを点滅させることを特徴としている。
【００１０】
請求項３記載の発明は、請求項１記載の携帯電話システムにおいて、
前記第２の送信制御手段は、
前記携帯電話にて未読メール或いは未確認の不在着信情報の表示動作が行われた後、この表示動作を終了する操作が行われたことに基づき、前記表示動作の後の未読メール数或いは未確認の不在着信件数の情報を送信することを特徴としている。
【００１１】
請求項４記載の発明は、請求項１記載の携帯電話システムにおいて、
前記携帯電話には、
操作キーを外側に露出した状態から内側に隠した状態に開閉する開閉機構およびこの開閉を検知する開閉検出手段が設けられ、
前記第２の送信制御手段は、
前記携帯電話にて未読メール或いは未確認の不在着信情報の表示動作が行われた後、前記開閉検出手段により開閉機構が閉じられたことが検知されたことに基づき、前記表示動作の後の未読メール数或いは未確認の不在着信件数の情報を送信することを特徴としている。
【００１２】
請求項５記載の発明は、請求項１記載の携帯電話システムにおいて、
前記第２の送信制御手段は、
前記携帯電話にて未読メール或いは未確認の不在着信情報の表示動作が行われた後、所定時間の操作入力が行われなかったことに基づき、前記表示動作の後の未読メール数或いは未確認の不在着信件数の情報を送信することを特徴としている。
【００１３】
請求項６記載の発明は、
携帯電話と短距離無線通信により情報の送受信を行う通信手段と、
この通信手段を介して前記携帯電話から未読メール数或いは未確認の不在着信件数の情報を受信する受信手段と、
該受信手段により未読メール数或いは未確認の不在着信件数の情報が受信された場合に当該未読メール数或いは未確認の不在着信件数の情報を記憶する記憶制御手段と、
該記憶制御手段により記憶された未読メール数或いは未確認の不在着信件数の情報を表示する表示手段と、
を備えていることを特徴とする腕装着型端末である。
【００１４】
請求項７記載の発明は、請求項６記載の腕装着型端末において、
前記表示手段は、
未読メール数或いは未確認の不在着信件数を、複数のセグメントを連ねた状態に点灯又は消灯することで数量の大小をグラフ状に表わすグラフ表示部を有し、
前記第１の送信制御手段および前記第２の送信制御手段によりゼロでない未読メール数或いは未確認の不在着信件数の情報を受信した場合に、少なくとも所定期間、前記グラフ表示部の数量を表わす一連のセグメントのうち先頭のセグメントを点滅させることを特徴としている。
【００１５】
請求項８記載の発明は、請求項６記載の腕装着型端末において、
前記表示手段により未読メール数或いは未確認の不在着信件数の情報が常に表示される動作モードを有していることを特徴としている。
【発明の効果】
【００１６】
本発明に従うと、携帯電話から腕装着型端末に適宜なタイミングに未読メール数或いは未確認の不在着信件数の情報が送られて、腕装着型端末でこれらの情報が表示されることになる。従って、ユーザはこれらの表示情報から未読メール数或いは未確認の不在着信件数を把握することができるという効果がある。
【図面の簡単な説明】
【００１７】
【図１】本発明の実施形態の携帯電話システムの構成図である。
【図２】実施形態の腕時計の内部構成を示すブロック図である。
【図３】腕時計の液晶表示部の構成を示す平面図である。
【図４】実施形態の携帯電話の内部構成を示すブロック図である。
【図５】携帯電話のＣＰＵにより実行される電話着信時処理の制御手順を示すフローチャートである。
【図６】携帯電話のＣＰＵにより実行されるメール着信時処理の制御手順を示すフローチャートである。
【図７】携帯電話のＣＰＵにより実行される電話着信確認処理の制御手順を示すフローチャートである。
【図８】携帯電話のＣＰＵにより実行されるメール確認処理の制御手順を示すフローチャートである。
【図９】腕時計のＣＰＵにより実行される制御処理の手順を示すフローチャートである。
【図１０】腕時計で行われる未読メール数と不在着信数の表示態様を示すもので、（ａ）は携帯電話で確認処理される前の表示態様の一例、（ｂ）は携帯電話で確認処理された後の表示態様の一例である。
【発明を実施するための形態】
【００１８】
以下、本発明の実施の形態を図面に基づいて説明する。
【００１９】
図１は、本発明の実施形態の携帯電話システムの構成図である。
【００２０】
この実施形態の携帯電話システム１は、腕装着型端末としての腕時計４０と、携帯電話１０とから構成されるものである。携帯電話１０は、基地局との無線通信機能に加えて、ブルートゥース（Bluetooth：登録商標）などの近距離無線通信機能を有している。腕時計４０は、時計本体とバンドとを有する腕時計であり、標準電波の受信機能に加えて、ブルートゥースなどの近距離無線通信機能を有し、携帯電話１０とデータ通信を行うことが可能になっている。
【００２１】
図２は、本発明の実施形態の腕時計４０の内部構成を示したブロック図である。また、図３は、腕時計４０の液晶表示部４６の構成を示す平面図である。
【００２２】
腕時計４０は、図２に示すように、機器の全体的な制御を行うＣＰＵ（中央演算処理装置）４１と、ＣＰＵ４１が実行する制御プログラムや制御データを格納したＲＯＭ（Read Only Memory）４２と、ＣＰＵ４１に作業用のメモリ空間を提供するＲＡＭ（Random Access Memory）４３と、複数の操作ボタンを有し外部から指令を入力する操作用のスイッチ４４と、現在時刻データを計数する計時回路４５と、本体正面に設けられ時刻表示や種々の機能表示を行う表示手段としての液晶表示部（ＬＣＤ）４６と、液晶表示部４６を駆動する液晶ドライバ４７と、アンテナＡＮ４１を介して近距離無線通信を行う通信手段および受信手段としてのブルートゥースモジュール４８と、ブルートゥースモジュール４８を介して送受信されるデータに対してシリアル／パラレル変換等のデータ処理を行うＵＡＲＴ（Universal Asynchronous Receiver Transmitter）４９と、振動によりユーザに通知を行う振動モータ５０およびそのドライバ５１と、発光点滅等によりユーザに通知を行ったり文字盤を照らしたりする発光ダイオード５２およびそのドライバ５３と、ブザー音によりユーザに通知を行うピエゾ素子５４およびそのドライバ５５と、ＣＰＵ４１と各部との間で信号をやり取りするバス５６等を備えている。
【００２３】
液晶表示部４６は、図３に示すように、曜日・年月日・時刻を表示する第１表示部４６１と、各種機能の作動状態を表示する第２表示部４６２と、携帯電話１０の未読メール数を専用に表示する第３表示部４６３と、携帯電話１０の不在着信数を専用に表示する第４表示部４６４とを備えている。
【００２４】
第３表示部４６３は、複数（例えば１２個）の扇形の表示セグメントが円形状に配置された円グラフ表示部であり、１個又は複数個の表示セグメントが連なって点灯することで、点灯した一連の表示セグメントにより未読メール数の大小が表示されるようになっている。詳細は後述するが、この第３表示部４６３では、１個の表示セグメントにつき１０個単位で未読メールが残っていることが示されるようになっている。また、未読メールがあって１個又は複数の表示セグメントが点灯する場合には、所定期間に目立ってユーザに認識されやすいように、一連の点灯する表示セグメントのうち終端側にある１個の表示セグメントが点滅駆動されるようになっている。
【００２５】
第４表示部４６４は、複数（例えば１０個）の扇形の表示セグメントが円形状に配置された円グラフ表示部であり、１個又は複数個の表示セグメントが連なって点灯することで、点灯した一連の表示セグメントにより不在着信数の大小が表示されるものである。この第４表示部４６４では、１個の表示セグメントにつき１個の不在着信があることが示されるようになっている。また、不在着信があって１個又は複数の表示セグメントが点灯する場合には、所定期間に目立ってユーザに認識されやすいように、一連の点灯する表示セグメントのうち終端側にある１個の表示セグメントが点滅駆動されるようになっている。
【００２６】
腕時計４０のＲＡＭ４３には、携帯電話１０の未読メール数のデータが記憶される未読メール数データ記憶部４３ａと、携帯電話１０の不在着信のデータが記憶される不在着信数データ記憶部４３ｂとが設けられている。
【００２７】
図４には、実施形態の携帯電話１０の内部構成を表わしたブロック図を示す。
【００２８】
携帯電話１０は、図４に示すように、機器の全体的な制御を行うＣＰＵ１１と、ＣＰＵ１１が実行する制御プログラムや制御データを格納したＲＯＭ１２と、ＣＰＵ１１に作業用のメモリ空間を提供するＲＡＭ１３と、複数の操作キーを有する操作部１４と、種々の機能表示を行う液晶表示部（ＬＣＤ）１５およびその表示ドライバ１６と、通話時の音声入出力を行うスピーカ１７およびマイク１８と、入出力される音声信号とデジタルデータとの相互変換を行うコーデック１９と、アンテナＡＮ１１を介して基地局との間で無線信号の送受信を行うＲＦ送受信回路２０と、コーデック１９から入出力される通話音声のデジタルデータや種々の送受信データの変調および復調処理を行う通信処理回路２１と、アンテナＡＮ１２を介して近距離無線通信を行うブルートゥースモジュール２２と、ブルートゥースモジュール２２を介して送受信されるデータに対してシリアル／パラレル変換等のデータ処理を行うＵＡＲＴ２３と、振動により着信を知らせる振動モータ２４およびそのドライバ２５と、本体の開閉状態を検出する開閉検出手段としての本体開閉センサ２６と、現在時刻を計数する内蔵時計２７と、ＣＰＵ１１と各部との間で信号をやりとりするバス２８等を備えている。
【００２９】
この携帯電話１０は、図１に示すように、ヒンジ１０ａの箇所で本体を折り曲げることで、操作部１４や液晶表示部１５を内側に畳むことのできる開閉機構を備えている。上記の本体開閉センサ２６は、例えば磁気を検知するホール素子からなり、本体が閉じられたときに磁石２６ａが本体開閉センサ２６に近接する一方、本体が開けられたときに磁石２６ａが本体開閉センサ２６から離れることで、本体の開閉状態が検知されるようになっている。
【００３０】
携帯電話１０のＲＯＭ１２には、基地局との無線信号の送受信によって電話着信があった場合に実行される電話着信時処理のプログラム、基地局との無線信号の送受信によってメール着信があった場合に実行されるメール着信時処理のプログラム、操作部１４を介したユーザからの所定の操作入力により未確認の不在着信を液晶表示部１５に表示して確認させる電話着信確認処理のプログラム、操作部１４を介したユーザからの所定の操作入力により未読メールを液晶表示部１５に表示して確認させるメール確認処理のプログラムなどが格納されている。
【００３１】
携帯電話１０のＲＡＭ１３には、電話着信があって呼び出しに応じなかった場合やメール着信があってその読み出しの操作が行われなかった場合に、これら不在着信や未読メールの情報が記憶される未読メール・不在着信情報記憶部１３ａが設けられている。
【００３２】
腕時計４０と携帯電話１０においては、予めペアリング処理を行っておくことで鍵データが生成されてメモリに登録され、腕時計４０と携帯電話１０が近くにある状態で両者のブルートゥースモジュール４８，２２を作動させることで、自動的に通信リンクが確立して相互のデータ通信が可能な状態へ移行される。
【００３３】
次に、上記構成の腕時計４０と携帯電話１０の動作について説明する。
【００３４】
携帯電話１０では、電源オンされることでＲＦ送受信回路２０を介した基地局との通信が常に行われ、基地局からの着信情報が受信されることで図５の電話着信時処理または図６のメール着信時処理に移行するようになっている。また、携帯電話１０のＣＰＵ１１は操作部１４からの操作入力を常に受けつけており、操作入力が行われた場合にこの操作入力に応じて例えば図７の電話着信確認処理または図８のメール確認処理などの各種の機能処理に移行するようになっている。
【００３５】
図５には、携帯電話１０のＣＰＵ１１により実行される電話着信時処理のフローチャートを示す。
【００３６】
この電話着信時処理は、基地局から電話着信（音声着信とも言う）の情報を受信したことに基づきＣＰＵ１１により開始される。この処理が開始されると、先ず、ＣＰＵ１１はブルートゥースモジュール２２に問い合わせを行って腕時計４０のブルートゥースモジュール４８と通信リンク中か判別する（ステップＳ１）。そして、通信リンク中でなければ一般的な電話着信の処理を実行する（ステップＳ２）。すなわち、音や振動により着信を報知して応答の操作入力を待機し、応答の操作入力があれば、音声通話の処理を行い、応答の操作入力が所定時間なければ基地局へ応答なしの返信を行って報知動作を終了する。そして、未読メール・不在着信情報記憶部１３ａに不在着信の情報を追加する。そして、この電話着信時処理を終了する。
【００３７】
一方、通信リンクがあれば、ブルートゥースモジュール２２を介して腕時計４０に着信情報として電話着信有りのデータを送信する（ステップＳ３）。そして、一定時間のうちに応答の操作入力がなされるか待機して不在着信か否かを判別する（ステップＳ４）。その結果、応答の操作入力があれば通話処理を行うが（ステップＳ７）、応答の操作入力がなくて不在着信と判別されたら未読メール・不在着信情報記憶部１３ａに不在着信の情報を追加する（ステップＳ５）。続いて、未確認の不在着信の総数を表わす不在着信数データをブルートゥースモジュール２２を介して腕時計４０に送信し（ステップＳ６：第１の送信制御手段）、この電話着信時処理を終了する。
【００３８】
このように、携帯電話１０と腕時計４０とが通信リンクされている状態で電話着信があった場合には、電話着信有りのデータが腕時計４０に送られて、腕時計４０で着信報知を行うことが可能にされている。また、電話着信があって応答しなかった場合には、不在着信数データが更新されてこれが腕時計４０に送信されるようになっている。
【００３９】
図６には、携帯電話１０のＣＰＵ１１により実行されるメール着信時処理のフローチャートを示す。
【００４０】
このメール着信時処理は、基地局からメール着信と電子メールデータとを受信したことに基づきＣＰＵ１１により開始される。この処理が開始されると、先ずＣＰＵ１１はブルートゥースモジュール２２に問い合わせを行って腕時計４０のブルートゥースモジュール４８と通信リンク中か判別する（ステップＳ１１）。そして、通信リンク中でなければ一般的なメール着信の処理を実行する（ステップＳ１２）。すなわち、音や振動によりメール着信を報知した後、受信した電子メールデータをＲＡＭ１３や図示略の不揮発性メモリに格納するとともに、未読メール・不在着信情報記憶部１３ａに未読メールの情報を追加する。
【００４１】
一方、通信リンクがあれば、ブルートゥースモジュール２２を介して腕時計４０に着信情報としてメール着信有りのデータを送信する（ステップＳ１３）。そして、受信した電子メールデータをＲＡＭ１３や図示略の不揮発性メモリに格納するとともに、未読メール・不在着信情報記憶部１３ａに未読メールの情報を追加して（ステップＳ１４）、未読メールの総数を表わす未読メール数データをブルートゥースモジュール２２を介して腕時計４０に送信する（ステップＳ１５：第１の送信制御手段）。そして、このメール着信時処理を終了する。
【００４２】
このように、携帯電話１０と腕時計４０とが通信リンクされている状態でメール着信があった場合には、メール着信有りのデータが腕時計４０に送られて、腕時計４０で着信報知を行うことが可能にされている。また、メール着信があった場合には、未読メール数データが更新されてこれが腕時計４０に送信されるようになっている。
【００４３】
図７には、携帯電話１０のＣＰＵ１１により実行される電話着信確認処理のフローチャートを示す。
【００４４】
この電話着信確認処理は、操作部１４を介してユーザが不在着信を確認するための所定の操作入力を行うことで開始される。この処理が開始されると、ＣＰＵ１１は、先ず未読メール・不在着信情報記憶部１３ａから未確認の不在着信数データを読み出して、この値がゼロでないか否かを判別する（ステップＳ２１）。そして、不在着信数データがゼロを示していれば、液晶表示部１５にデータ無しの表示を行い（ステップＳ２２）、続いて、着信の待ち受けを行う通常モードに移行して（ステップＳ３３）、この電話着信確認処理を終了する。
【００４５】
一方、不在着信数がゼロでなければ、先ず、未読メール・不在着信情報記憶部１３ａから最新の不在着信情報を読み出して液晶表示部１５に表示出力し（ステップＳ２３）、未読メール・不在着信情報記憶部１３ａからこの不在着信情報を削除するとともに、未確認の不在着信数の総数が示される不在着信数データから“１”を減算する（ステップＳ２４）。そして、次のステップＳ２５に移行する。
【００４６】
ステップＳ２５に移行すると、ＣＰＵ１１は、何れかの分岐条件を満たすまで次の判別処理を繰り返す。すなわち、先ず、次の不在着信の情報を読み出す次データ読出スイッチの入力が操作部１４を介して行われたか判別し（ステップＳ２５）、行われなければ不在着信の確認終了のスイッチ入力が操作部１４を介して行われたか判別し（ステップＳ２６）、このスイッチ入力も無ければ本体開閉センサ２６から本体が閉じられた検出信号が得られるか判別し（ステップＳ２７）、この検出信号もなければ操作部１４を介して何も入力がなされずに所定時間（例えば１分）が経過したか判別する（ステップＳ２８）。そして、所定時間の経過もなければステップＳ２５に移行してこれらの判別処理を繰り返す。
【００４７】
これらの判別処理の結果、ステップＳ２５で次データ読出スイッチのオン操作があってステップＳ２９に移行したら、未読メール・不在着信情報記憶部１３ａから不在着信数データを読み出して不在着信数がゼロであるか否かを判別する（ステップＳ２９）。その結果、ゼロであれば上述のステップＳ２２に戻る一方、ゼロでなければ、未読メール・不在着信情報記憶部１３ａから一つ前の不在着信の情報を読み出してこれを液晶表示部１５に表示する（ステップＳ３０）。続いて、未読メール・不在着信情報記憶部１３ａからこの不在着信情報を削除するとともに、不在着信数データから“１”を減算し（ステップＳ３１）、再び、ステップＳ２５に戻る。
【００４８】
また、ステップＳ２５〜Ｓ２８の判別処理中、ステップＳ２６でユーザにより確認終了のスイッチ入力が行われたと判別されたら、先ず、現在の更新された未確認の不在着信の総数を表わす不在着信数データをブルートゥースモジュール２２を介して腕時計４０に送信する（ステップＳ３２：第２の送信制御手段）。続いて、着信待ち受けを行う通常モードに移行して（ステップＳ３３）、この電話着信確認処理を終了する。
【００４９】
また、ステップＳ２５〜Ｓ２８の判別処理中、ステップＳ２７で本体が閉じられたと判別されたら、現在の不在着信数データをブルートゥースモジュール２２を介して腕時計４０に送信し（ステップＳ３４：第２の送信制御手段）、液晶表示部１５の表示駆動をオフして（ステップＳ３５）、この電話着信確認処理を終了する。
【００５０】
また、ステップＳ２５〜Ｓ２８の判別処理中、ステップＳ２８で一定時間の操作入力なしと判別されたら、現在の不在着信数データをブルートゥースモジュール２２を介して腕時計４０に送信し（ステップＳ３６：第２の送信制御手段）、液晶表示部１５の表示駆動をオフして（ステップＳ３７）、この電話着信確認処理を終了する。
【００５１】
このように、ユーザが携帯電話１０の操作部１４を操作することで、未確認の不在着信情報が液晶表示部１５に表示出力されて、１件ずつユーザが確認できるようになっている。また、未確認の不在着信情報をユーザが確認する際には、１件の確認が行われるごとに不在着信数データが携帯電話１０から腕時計４０に送信されるのではなく、確認処理が終了したと考えられる時点（例えば、確認終了のスイッチ入力、本体が閉じられる、一定時間入力なし等）で、更新された不在着信数データが携帯電話１０から腕時計４０に送信されるようになっている。
【００５２】
図８には、携帯電話１０のＣＰＵ１１により実行されるメール確認処理のフローチャートを示す。
【００５３】
このメール確認処理は、操作部１４を介してユーザが所定の操作入力を行うことで開始される。この処理が開始されると、ＣＰＵ１１は、先ずＲＡＭ１３中の未読メール・不在着信情報記憶部１３ａから未読メール数データを読み出して、この値がゼロでないか否かを判別する（ステップＳ４１）。そして、未読メール数データがゼロを示していれば、液晶表示部１５にデータ無しの表示を行い（ステップＳ４２）、続いて、着信の待ち受けを行う通常モードに移行して（ステップＳ５３）、このメール確認処理を終了する。
【００５４】
一方、未読メール数がゼロでなければ、先ず、未読メール・不在着信情報記憶部１３ａから最新の未読メールのデータを読み出して液晶表示部１５に表示出力し（ステップＳ４３）、未読メール・不在着信情報記憶部１３ａからこの未読メールのデータを削除するとともに、未読メール数の総数が示される未読メール数データから“１”を減算する（ステップＳ４４）。そして、次のステップＳ４５に移行する。
【００５５】
ステップＳ４５に移行すると、ＣＰＵ１１は、何れかの分岐条件を満たすまで次の判別処理を繰り返す。すなわち、先ず、次の未読メールのデータを読み出す次データ読出スイッチの操作入力が行われたか判別し（ステップＳ４５）、行われなければ未読メール確認終了のスイッチ入力が行われたか判別し（ステップＳ４６）、スイッチ入力も無ければ本体開閉センサ２６から本体が閉じられた検出信号が得られるか判別し（ステップＳ４７）、この検出信号もなければ操作部１４を介して何も入力されずに所定時間（例えば１分）が経過したか判別する（ステップＳ４８）。そして、所定時間の経過もなければステップＳ４５に移行してこれらの判別処理を繰り返す。
【００５６】
これらの判別処理の結果、次データ読出スイッチのオン操作があってステップＳ４９に移行したら、ＲＡＭ１３の未読メール・不在着信情報記憶部１３ａから未読メール数データを読み出して未読メール数がゼロであるか否かを判別する（ステップＳ４９）。その結果、ゼロであれば上述のステップＳ４２に戻る一方、ゼロでなければ、未読メール・不在着信情報記憶部１３ａから一つ前の未読メールのデータを読み出してこれを液晶表示部１５に表示する（ステップＳ５０）。続いて、未読メール・不在着信情報記憶部１３ａからこの未読メールのデータを削除するとともに、未読メール数データから“１”を減算し（ステップＳ５１）、再び、ステップＳ４５に戻る。
【００５７】
また、ステップＳ４５〜Ｓ４８の判別処理中、ステップＳ４６でユーザにより確認終了のスイッチ入力が行われたと判別されたら、先ず、現在の更新された未読メールの総数を表わす未読メール数データをブルートゥースモジュール２２を介して腕時計４０に送信する（ステップＳ５２）。続いて、着信待ち受けを行う通常モードに移行して（ステップＳ５３）、このメール確認処理を終了する。
【００５８】
また、ステップＳ４５〜Ｓ４８の判別処理中、ステップＳ４７で本体が閉じられたと判別されたら、現在の未読メール数データをブルートゥースモジュール２２を介して腕時計４０に送信し（ステップＳ５４）、液晶表示部１５の表示駆動をオフして（ステップＳ５５）、このメール確認処理を終了する。
【００５９】
また、ステップＳ４５〜Ｓ４８の判別処理中、ステップＳ４８で一定時間の操作入力なしと判別されたら、現在の未読メール数データをブルートゥースモジュール２２を介して腕時計４０に送信し（ステップＳ５６）、液晶表示部１５の表示駆動をオフして（ステップＳ５７）、このメール確認処理を終了する。
【００６０】
また、ステップＳ４５〜Ｓ４８の判別処理中、何れの判別結果も“ＮＯ”であれば、再びステップＳ４５に戻って、これらの判別処理を繰り返す。
【００６１】
このように、ユーザが携帯電話１０の操作部１４を操作することで、未読メールの内容が液晶表示部１５に表示出力されて、１件ずつ未読メールをユーザが確認できるようになっている。また、未読メールをユーザが確認する際には、１件の確認が行われるごとに未読メール数データが携帯電話１０から腕時計４０に送信されるのではなく、確認処理が終了したと考えられる時点（例えば、確認終了のスイッチ入力、本体が閉じられる、一定時間入力なし等）で、更新された未読メール数データが携帯電話１０から腕時計４０に送信されるようになっている。
【００６２】
図９には、腕時計４０のＣＰＵ４１が実行する制御処理のフローチャートを、図１０には、腕時計４０の第３および第４表示部４６３，４６４で行われる未読メール数と不在着信数の表示態様を示すもので、同図（ａ）は携帯電話で確認処理される前の表示態様の一例、（ｂ）は携帯電話で確認処理された後の表示態様の一例である。図１０において、黒の表示セグメントにより点灯を、網掛けの表示セグメントにより点滅を表わしている。
【００６３】
この制御処理は、腕時計４０が通常動作モードに設定されている際にＣＰＵ４１によって継続的に実行される処理である。この制御処理が開始されると、先ずＣＰＵ４１はブルートゥースモジュール４８に問合せを行って携帯電話１０と通信リンク中であるか判別する（ステップＳ６１）。そして、通信リンク中でなければ、ステップＳ７６にジャンプして、液晶表示部４６に現在時刻や日時を表示する処理を行い（ステップＳ７６）、その後、再びステップＳ６１に戻る。つまり、携帯電話１０と通信リンクがなければ、ステップＳ７６の処理が繰り返されて、この繰返し処理により液晶表示部４６の第１表示部４６１に現在時刻や日付の表示が継続的に実行されるようになっている。
【００６４】
一方、ステップＳ６１の判別処理の結果、携帯電話１０との通信リンクがあって次に進んだ場合には、先ず、ブルートゥースモジュール４８によってデータ受信がなされたか判別する（ステップＳ６２）。その結果、データ受信がなければステップＳ７２にジャンプするが、データ受信があればステップＳ６３〜Ｓ６６で受信データの判別を行う。すなわち、ステップＳ６３で電話着信有りのデータか否かを判別し、ステップＳ６４でメール着信有りのデータか否かを判別し、ステップＳ６５で不在着信数データか否かを判別し、ステップＳ６６で未読メール数データか否かを判別する。
【００６５】
その結果、ステップＳ６３で電話着信有りのデータと判別されたら、振動モータ５０を駆動して電話着信の報知処理を行って（ステップＳ６７）、ステップＳ７２にジャンプする。また、ステップＳ６４でメール着信有りのデータと判別されたら、振動モータ５０を駆動してメール着信の報知処理を行って（ステップＳ６８）、ステップＳ７２にジャンプする。
【００６６】
一方、ステップＳ６５で不在着信数データであると判別されたら、ＲＡＭ４３中の不在着信数データ記憶部４３ｂのデータ値を受信データに基づき更新して（ステップＳ６９：記憶制御手段）、更新された不在着信数データに基づき必要があれば第４表示部４６４で点灯させる表示セグメントを変更する表示処理を行う（ステップＳ７１）。すなわち、図１０（ａ）の第４表示部４６４に示すように、更新された不在着信数データが５個を示していれば、上端右から右回りに５個の表示セグメントｆ１〜ｆ５を点灯させる。また、更新された不在着信数データが０個を示していれば第４表示部４６４の表示セグメントは全て消灯させ、１個の不在着信数を示していれば１個の表示セグメントを点灯させ、２個〜１０個以上の不在着信数を示していれば一連の２個〜１０個の表示セグメントを点灯させる。その後、ステップＳ７２に移行する。
【００６７】
また、ステップＳ６６で未読メール数データであると判別されたら、ＲＡＭ４３中の未読メール数データ記憶部４３ａのデータ値を受信データに基づき更新して（ステップＳ７０：記憶制御手段）、更新された未読メール数データに基づき必要があれば第３表示部４６３で点灯させる表示セグメントを変更する表示処理を行う（ステップＳ７１）。すなわち、図１０（ａ）の第３表示部４６３に示すように、更新された未読メール数が２１個〜３０個を示していれば３個の表示セグメントｈ１〜ｈ３を点灯させる。また、更新された未読メール数データが０個を示していれば第３表示部４６３の表示セグメントは全て消灯させ、１個〜１０個の未読メール数を示していれば１個の表示セグメントを点灯させ、１１個〜１２０個以上の未読メール数を示していれば１０個単位で点灯する表示セグメントが増えていくように一連の２個〜１２個の表示セグメントを点灯させる。その後、ステップＳ７２に移行する。
【００６８】
また、ステップＳ６３〜Ｓ６６の処理で何れも“ＮＯ”と判別された場合には、その他の受信データに応じた処理を行って（ステップＳ７７）、ステップＳ７２に移行する。
【００６９】
上記の各受信データに応じた処理を行ってステップＳ７２に移行したら、先ず、ＣＰＵ４１は、電話着信有りのデータを受信してから予め設定された一定時間（例えば３分〜１時間など）以内であるか否かを判別する（ステップＳ７２）。その結果、一定時間以内であれば、第４表示部４６４で点灯されている一連の表示セグメントのうち、右回りを進行方向とした先頭の１個の表示セグメントを点滅させる表示処理を行う（ステップＳ７３）。図１０（ａ）の例では、点灯されている一連の表示セグメントｆ１〜ｆ５のうち先頭の１個の表示セグメントｆ５が点滅制御されている。そして、次のステップＳ７４に移行する。一方、ステップＳ７２の判別処理の結果、一定時間を経過していれば、ステップＳ７３の点滅表示処理を実行せずに、そのままステップＳ７４に移行する。
【００７０】
従って、不在着信がある状態では、最後の電話着信から一定時間は第４表示部４６４の点灯中の表示セグメントの先頭の１個が点滅表示され、最後の電話着信から一定時間が経過したらこの点滅表示が点灯表示に変更されるようになっている。
【００７１】
また、ステップＳ７４に移行したら、ＣＰＵ４１は、メール着信有りのデータを受信してから予め設定された一定時間（例えば３分〜１時間）以内であるか否かを判別する（ステップＳ７４）。その結果、一定時間以内であれば、第３表示部４６３で点灯されている一連の表示セグメントｈ１〜ｈ３のうち、右回りを進行方向とした先頭の１個の表示セグメントを点滅させる表示処理を行う（ステップＳ７５）。図１０（ａ）の例では、点灯されている一連の表示セグメントｈ１〜ｈ３のうち先頭の１個の表示セグメントｈ３を点滅させる。そして、次のステップＳ７６に移行する。一方、ステップＳ７４の判別処理の結果、一定時間を経過していれば、ステップＳ７５の点滅表示処理を実行せずに、そのままステップＳ７６に移行する。
【００７２】
従って、未読メールがある状態では、最後のメール着信から一定時間は第３表示部４６３の点灯中の表示セグメントの先頭の１個が点滅表示され、最後のメール着信から一定時間が経過したらこの点滅表示が点灯表示に変更されるようになっている。
【００７３】
なお、図９のフローチャートでは、携帯電話１０で不在着信や未読メールの確認処理が行われても、最後の着信から一定時間は点滅表示が継続されるようにしているが、携帯電話１０で確認処理が行われたら点滅表示が停止されるように構成しても良い。例えば、腕時計４０で不在着信数データや未読メール数データを受信して、以前の数より減っている場合に、確認処理がなされたと判断して、一定時間を計数する変数値を時間経過を表わす値に更新するなどして、点滅表示を点灯表示に変更することができる。
【００７４】
続いて、ステップＳ７６に移行したら、ＣＰＵ４１は、液晶表示部４６の第１表示部４６１に時刻日時の表示処理を行ってステップＳ６１に戻る。そして、ステップＳ６１からの処理を繰り返し実行する。
【００７５】
上記の制御処理により、例えば、携帯電話１０で電話着信やメール着信があった場合には、携帯電話１０から送られる着信情報を腕時計４０が受信して振動等の報知動作が行われるし、携帯電話１０で不在着信があった場合やメール受信で未読メール数が増えた場合には、携帯電話１０から送られる不在着信数データや未読メール数データを腕時計４０が受信して液晶表示部４６の第３表示部４６３や第４表示部４６４にその数の大小が表示されるようになっている。
【００７６】
また、携帯電話１０で未確認の不在着信の確認が行われた場合や、未読メールの確認が行われた場合には、その確認処理が終了したと判断できる時点で、携帯電話１０から送られる更新された不在着信数データや未読メール数データを腕時計４０が受信して、液晶表示部４６の第３表示部４６３や第４表示部４６４の表示が更新されるようになっている。例えば、図１０（ａ）→（ｂ）の例では、不在着信数が５件から２件に減少し、未読メール数が三十数件〜数件に減少している。
【００７７】
以上のように、この実施形態の携帯電話システム１および腕時計４０によれば、腕時計４０の第３表示部４６３と第４表示部４６４に、未確認の不在着信件数と未読メールの件数とが表示されるので、携帯電話１０の着信時にユーザが忙しくて着信に対応できなかった場合でも、その後に、腕時計４０の表示を確認することで、未確認の不在着信や未読メールがあることが認識でき、ユーザにこれらの確認を促すことができる。従って、ユーザが不注意で長い期間着信を放置してしまうといった事態を回避することができる。
【００７８】
また、不在着信や未読メールが或る程度溜まってから確認処理を行いたいと望むユーザにおいては、腕時計４０の不在着信数と未読メール数の表示により、所望のタイミングで確認処理を行うことが可能となる。
【００７９】
また、この実施形態の携帯電話システム１および腕時計４０によれば、電話着信やメール着信を示す着信有りデータと、不在着信数データおよび未読メール数データのみをブルートゥース通信によって腕時計４０に伝送し、その他、電子メールの内容を示すデータなどは伝送しないようになっている。従って、腕時計４０におけるデータ通信処理や表示処理の内容が単純化されて、これらの処理に必要な消費電力やメモリ容量などを少なくすることができ、延いては、腕時計４０の大型化を回避できるようになっている。
【００８０】
また、この実施形態の携帯電話システム１および腕時計４０によれば、腕時計４０の不在着信数の表示や未読メール数の表示が、円グラフ状に数量の大小を表示する第３表示部４６３と第４表示部４６４により行われるので、不在着信数や未読メール数を直感的に認識することができる。また、着信があってから一定時間は不在着信数や未読メール数を表わす円グラフ状の表示の先頭部分が点滅表示するので、この点滅表示によって新たな不在着信或いは未読メールが追加されたことをユーザに容易に認識させることができる。
【００８１】
また、上記の腕時計４０によれば、第３表示部４６３と第４表示部４６４によって不在着信数や未読メール数の表示が専用に行われ、腕時計４０と携帯電話１０とが通信リンクされた状態で、第３表示部４６３と第４表示部４６４とに不在着信数と未読メール数が常に表示されるので、ユーザは何らの操作を行うことなく簡単に不在着信数や未読メール数の確認を行うことができる。
【００８２】
また、ユーザにより携帯電話１０で未確認の不在着信情報や未読メールの確認が行われた際には、１件の確認ごとに更新された不在着信数データや未読メール数データが送られるのではなく、確認処理の終了と判断できる状態（例えば、確認終了のスイッチ入力、本体が閉じられる、一定時間入力なし等）になった場合に、更新された不在着信数データや未読メール数データが送られるので、携帯電話１０での不在着信情報と未読メールの確認時における携帯電話１０と腕時計４０のデータ通信量の軽減、腕時計４０の処理負荷の軽減を図ることができる。
【００８３】
なお、本発明は、上記実施の形態に限られるものではなく、様々な変更が可能である。例えば、上記実施形態では、腕時計４０で常に不在着信数の表示と未読メール数の表示とが行われる構成を示したが、腕時計４０の動作モードの設定により、常にこれらの情報が表示される状態と、第３と第４の表示部４６３，４６４に別の情報が表示される状態とを切り換え可能な構成としても良い。
【００８４】
また、上記実施形態では、不在着信数データ或いは未読メール数データを携帯電話１０から腕時計４０へ送信するトリガー条件として、着信ありの場合、不在着信や未読メールの確認処理が終了した場合を例示しているが、その他、携帯電話１０の内蔵時計２７の計時値で時または分の値が繰り上がった場合、ユーザ操作によって携帯電話１０の画面が切り換えられた場合、携帯電話１０の電波状況が圏外から圏内に変化した場合、携帯電話１０の電源がオフからオンに切り替わった場合など、種々のトリガー条件を採用することが可能である。
【００８５】
また、上記実施形態では、不在着信件数や未読メール件数を腕装着型端末で表示する形態として、数量の大小を円グラフ状に表示する構成を示したが、バーグラフ状の表示構成、数字を表示する表示構成、回転指針を用いた表示構成などを適用することもできる。また、携帯電話と腕時計との間でデータ通信を行う短距離無線通信手段もブルートゥース通信に制限されるものではない。また、腕装着型端末として時計機能を有さないものを適用しても良い。その他、実施形態で示した細部は発明の趣旨を逸脱しない範囲で適宜変更可能である。
【符号の説明】
【００８６】
１    携帯電話システム
１０  携帯電話
１１  ＣＰＵ
１２  ＲＯＭ
１３  ＲＡＭ
１３ａ  未読メール・不在着信情報記憶部
１４  操作部
１５  液晶表示部
２０  ＲＦ送受信回路
２２  ブルートゥースモジュール
２４  振動モータ
２６  本体開閉センサ
２７  内蔵時計
４０  腕時計
４１  ＣＰＵ
４２  ＲＯＭ
４３  ＲＡＭ
４３ａ  未読メール数データ記憶部
４３ｂ  不在着信数データ記憶部
４４  スイッチ
４６  液晶表示部
４８  ブルートゥースモジュール
５０  振動モータ
５２  発光ダイオード
５４  ピエゾ素子
４６３  第３表示部
４６４  第４表示部
【図１】
2011049801.tif 000003
【図２】
2011049801.tif 000004
【図３】
2011049801.tif 000005
【図４】
2011049801.tif 000006
【図５】
2011049801.tif 000007
【図６】
2011049801.tif 000008
【図７】
2011049801.tif 000009
【図８】
2011049801.tif 000010
【図９】
2011049801.tif 000011
【図１０】
2011049801.tif 000012